(57)【要約】【課題】自動販売機の消費電力量を低減する。【解決手段】庫内側背面断熱板４２を、背面断熱板３２の前面に背面断熱板３２が庫内に露出しないように重ねた。庫内側背面断熱板４２における背面ダクト２７の上端面に形成された空気吸い込み口２７ａよりも所定寸法以上上方の部分は、商品収納棚２６の背面との隙間を、商品収納棚２６の背面と背面ダクト２７との隙間と略同等もしくは商品収納棚２６の背面と背面ダクト２７との隙間より狭くする突出部４２ａとし、庫内側背面断熱板４２における突出部４２ａより下方の部分は、庫内空気を下方に導く背面ダクト２７の機能を妨げないように、商品収納棚２６の背面との隙間を、商品収納棚２６の背面と突出部４２ａとの隙間よりも大きくした。【選択図】図１
2015102927.tif 000002
【特許請求の範囲】
【請求項１】
前面を開口した商品収納庫の内壁面を少なくとも背面断熱板、側面断熱板で断熱し、さらに断熱仕切り板により前記商品収納庫を加温庫と冷却庫とに左右に区画し、前記加温庫内と前記冷却庫内に、商品を収納する商品収納棚、前記商品収納棚の下方に加熱手段または冷却手段、前記加熱手段または前記冷却手段の前方または後方の空気を前方に送風する送風ファン、前記商品収納棚と前記背面断熱板との間における庫内底部から前記商品収納棚の下部または上下方向の略中間部の高さまで上下方向に延び庫内空気を下方に導く背面ダクトを、それぞれ設けた自動販売機であって、
前記加温庫の背面に位置する前記背面断熱板の前面に、左右の端面が前記側面断熱板と前記断熱仕切り板にそれぞれ弾性的に当接して、前記側面断熱板と前記断熱仕切り板に弾性的に挟持される庫内側背面断熱板を、前記背面断熱板が前記加温庫に露出しないように重ね、
前記庫内側背面断熱板における前記背面ダクトの上端面に形成された空気吸い込み口よりも所定寸法以上上方の部分は、前記商品収納棚の背面との隙間を、前記商品収納棚の背面と前記背面ダクトとの隙間と略同等もしくは前記商品収納棚の背面と前記背面ダクトとの隙間より狭くする突出部とし、
前記庫内側背面断熱板における前記突出部より下方の部分は、庫内空気を下方に導く前記背面ダクトの機能を妨げないように、前記商品収納棚の背面との隙間を、前記商品収納棚の背面と前記突出部との隙間よりも大きくしたことを特徴とする自動販売機。
【請求項２】
前記庫内側背面断熱板は、大きさの異なる２つの断熱板からなり、比較的大きい断熱板の上部前面に比較的小さい断熱板を重ねて一体化したものである請求項１に記載の自動販売機。
【請求項３】
前記庫内側背面断熱板は、厚みの異なる２つの断熱板からなり、比較的薄い断熱板の上に比較的厚い断熱板を重ねた構造であることを特徴とする請求項１に記載の自動販売機。
【発明の詳細な説明】
【技術分野】
【０００１】
本発明は、前面を開口した商品収納庫の内壁面に断熱板を配置し断熱仕切り板により商品収納庫を左右に区画した自動販売機の断熱構造に関するものである。
【背景技術】
【０００２】
従来のこの種の自動販売機は、図１１に示すように、前面を開口した箱状の自動販売機の本体１と、本体１の機械室の上側に区画された空間に設けられた商品収納庫２と、本体１の前面開口部を開閉する外扉３と、外扉３の内側で商品収納庫２の前面開口部を開閉自在に設けられた内扉４と、商品収納庫２内に設置されて商品を収納する商品収納棚５と、上下方向に長く、商品収納庫２内の背面の上下方向の略中間部に近接した上端面に空気吸い込み口６ａ、下端部から前方に延長された延長ダクト６ｂの前面に空気吹き出し口６ｃを有する庫内ダクト６が商品収納庫２の底面奥部に設置されている。
【０００３】
また、空気吹き出し口６ｃの前方には、空気吹き出し口６ｃと対向して庫内熱交換器７が商品収納庫２の底面に配置さている。さらに、庫内熱交換器７で冷却された冷気（庫内熱交換器７が冷媒回路の凝縮器として機能する場合には、庫内熱交換器７で温められた暖気）を送風するための送風ファン８と、庫内熱交換器７と庫内ダクト６とを固定するためのファンダクト９、商品収納庫２を加温庫とするときに通電されて発熱するヒータ１０を収納したヒータ収納部１１を備えた送風ユニット１２が設置されている（例えば、特許文献１参照）。
【０００４】
以上のように構成された自動販売機について、以下その動作、作用を説明する。
【０００５】
まず、商品収納庫２が冷却設定の場合、送風ファン８の働きにより、庫内ダクト６上端面の空気吸い込み口６ａより庫内循環空気を吸い込む。吸い込まれた空気は庫内熱交換器７によって冷やされ、商品収納棚５の内部に収納されている商品を冷却する。
【０００６】
同様に商品収納庫２が加温設定の場合は、空気吸い込み口６ａより吸い込まれた空気はヒータ１０（または、庫内熱交換器７が冷媒回路の凝縮器として機能する場合は庫内熱交換器７）によって温められ、商品収納棚５の内部に収納されている商品を加温する。
【０００７】
庫内ダクト６から送風ユニット１２の吹出口まで続く庫内循環空気の風路は、庫内ダクト６の一部である延長ダクト６ｂがあるため、送風ユニット１２の吹出口を商品収納庫２の奥行き方向の、より前方に位置させることができる。
【０００８】
これにより、庫内循環空気は商品収納庫２の下部前方より吹き出され、また、庫内ダクト６の空気吸い込み口６ａは、商品収納庫２内の背面の上下方向の略中間部に近接した庫内ダクト６の上端面にあるため、商品収納庫２内の空気の循環は全域に渡って対流することとなる。
【０００９】
ところで、商品収納庫２の背面に配設される断熱背板１３は１枚の板状体で構成されて本体１の外箱の背板に沿って取り付けられ、また、商品収納庫２の底面に配設される断熱底板１４も１枚の板状体で構成されて外箱の収納庫底板に沿って取り付けられ、また、商品収納庫２の天井面に配設される断熱天板１５も１枚の板状体で構成されて外箱の収納庫天井板に沿って取り付けられ、その断熱背板１３と断熱底板１４と断熱天板１５の庫内側の面に対して、商品収納庫２を左右に断熱区画するための断熱仕切り板（図示せず）の端面が当接されて取り付けられている。
【００１０】
外箱は、比較的薄い金属製の板材で構成されるため、特に、面積の大きな背板側では、中央部が外側に凸となるように反る現象が発生しやすい。
【００１１】
外箱の背板に、このような反りが生じると、断熱背板１３も反って、そのために、断熱背板１３と断熱仕切り板の端面との間に隙間が生じると、断熱仕切り板により商品収納庫２を加温庫と冷却庫とに左右に区画した自動販売機では、加温庫内から冷却庫内への熱移動が多くなり、加温庫内を加温し冷却庫内を冷却するための消費電力量が増加する。
【００１２】
そこで、クッション材を断熱仕切り板の後端面に取り付けると共に、断熱背板１３側にもクッション材が当接する部分に両面粘着テープを貼り付けて、クッション材によって断熱背板１３と断熱仕切り板の後端面との間の隙間を埋めて、加温庫内から冷却庫内への熱移動を減らすことが提案された（例えば、特許文献２参照）。
【先行技術文献】
【特許文献】
【００１３】
【特許文献１】特開２０１２−８８２９号公報
【特許文献２】特開２０１１−１４５９８５号公報
【発明の概要】
【発明が解決しようとする課題】
【００１４】
しかしながら、上記特許文献１に開示されている従来の自動販売機では、断熱背板１３と商品収納棚５との間の庫内ダクト６よりも上方の箇所は、庫内ダクト６の上部と同じ厚みの空間とされているので、庫内ダクト６上端面の空気吸い込み口６ａから商品収納庫２内における上下方向の中央部だけでなく上部の空気も吸引してしまい、送風ファン８により送られた空気が商品収納庫２内の上部まで流れ込んで、循環してしまっていた。その結果、庫内熱交換器７に冷媒を送る圧縮機やヒータ１０の稼動時間の短縮化の効果があまり発揮されず、自動販売機の消費電力量の低減の効果も不十分となっていた。
【００１５】
本発明は上記課題を解決するもので、商品収納庫内の空気の循環領域を省エネに有効な範囲に制限して、自動販売機の消費電力量を低減することを目的とする。
【００１６】
また、上記特許文献２に開示された自動販売機では、断熱背板の反りが比較的大きい場合は、クッション材の圧縮度低下により、クッション材によるシール性が低下し、加温庫内から冷却庫内への熱移動が多くなるという課題を有していた。
【００１７】
また、経年変化により、両面粘着テープの粘着性が低下し、クッション材の弾力性も低下すると、断熱背板と断熱仕切り板の端面との間に隙間が生じる可能性があるという課題を有していた。
【００１８】
本発明は、上記従来の課題を解決するものであり、断熱仕切り板により商品収納庫を加温庫と冷却庫とに左右に区画した自動販売機において、商品収納庫の背面全体を断熱する背面断熱板の中央部が外側に凸となるように反った場合においても、加温庫と冷却庫との間の熱移動を低減できる自動販売機を提供することを目的とする。
【課題を解決するための手段】
【００１９】
上記目的を達成するために、本発明の自動販売機は、前面を開口した商品収納庫の内壁面を少なくとも背面断熱板、側面断熱板で断熱し、さらに断熱仕切り板により前記商品収納庫を加温庫と冷却庫とに左右に区画し、前記加温庫内と前記冷却庫内に、商品を収納する商品収納棚、前記商品収納棚の下方に加熱手段または冷却手段、前記加熱手段または前
記冷却手段の前方または後方の空気を前方に送風する送風ファン、前記商品収納棚と前記背面断熱板との間における庫内底部から前記商品収納棚の下部または上下方向の略中間部の高さまで上下方向に延び庫内空気を下方に導く背面ダクトを、それぞれ設けた自動販売機であって、前記加温庫の背面に位置する前記背面断熱板の前面に、左右の端面が前記側面断熱板と前記断熱仕切り板にそれぞれ弾性的に当接して、前記側面断熱板と前記断熱仕切り板に弾性的に挟持される庫内側背面断熱板を、前記背面断熱板が前記加温庫に露出しないように重ね、前記庫内側背面断熱板における前記背面ダクトの上端面に形成された空気吸い込み口よりも所定寸法以上上方の部分は、前記商品収納棚の背面との隙間を、前記商品収納棚の背面と前記背面ダクトとの隙間と略同等もしくは前記商品収納棚の背面と前記背面ダクトとの隙間より狭くする突出部とし、前記庫内側背面断熱板における前記突出部より下方の部分は、庫内空気を下方に導く前記背面ダクトの機能を妨げないように、前記商品収納棚の背面との隙間を、前記商品収納棚の背面と前記突出部との隙間よりも大きくしたのである。
【００２０】
上記構成において、背面ダクトの上方で、商品収納棚の背面に近接するように前方に突出した突出部により、突出部のない従来構成のものと比較して、商品収納棚の背面側の空間（商品収納棚の背面と突出部の前面との隙間）の風路抵抗が大きくなっているため、加温庫内の上部の空気が、商品収納棚の背面と突出部の前面との隙間を通って、背面ダクトの上端面の空気吸い込み口に流れ込むことが困難になる結果、加温庫内の上部の空気はその位置で停滞する。
【００２１】
また、加温庫の背面の上部より下降する空気の流れは、庫内側背面断熱板の突出部の前面に沿って単に垂直に下降するが、加温庫内における庫内側背面断熱板の突出部の下端と略同じ高さ以下の領域から背面ダクトの上端面に形成された空気吸い込み口に流れ込む空気流によって、エアカーテン効果で、その下降流が遮蔽される結果、加温庫内の上部の空気は、その位置で停滞する。
【００２２】
したがって、送風ファンにより送られた空気が加温庫内の上部（あるいは商品収納棚の上部および上下方向の略中間部）まで流れ込んで循環することを最小限に抑えることができる。その結果、部分加熱の範囲が適正に維持されるので、消費電力量が減少する。
【００２３】
また、庫内側背面断熱板を背面断熱板が加温庫に露出しないように重ねた結果、加温庫の背面側の断熱壁の厚さが増加し、加温庫の背面からの熱の流出が減少する結果、消費電力量が低減する。
【００２４】
また、背面断熱板の中央部が外側に凸となるように反って、背面断熱板と断熱仕切り板との間の部分で断熱性が低下しても、庫内側背面断熱板が、背面断熱板と断熱仕切り板との間の断熱性が低下した部分と、加温庫との熱が伝わる通路を遮断しているので、加温庫内から冷却庫内への熱移動を抑えることができ、それにより自動販売機の消費電力量を低減することができる。
【発明の効果】
【００２５】
本発明によれば、背面ダクトの上方で、商品収納棚の背面に近接するように前方に突出した突出部により、突出部のない従来構成のものと比較して、商品収納棚の背面側の空間（商品収納棚の背面と突出部の前面との隙間）の風路抵抗が大きくなっているため、加温庫内の上部の空気が、商品収納棚の背面と突出部の前面との隙間を通って、背面ダクトの上端面の空気吸い込み口に流れ込むことが困難になる結果、加温庫内の上部の空気はその位置で停滞する。
【００２６】
また、加温庫の背面の上部より下降する空気の流れは、庫内側背面断熱板の突出部の前
面に沿って単に垂直に下降するが、加温庫内における庫内側背面断熱板の突出部の下端と略同じ高さ以下の領域から背面ダクトの上端面に形成された空気吸い込み口に流れ込む空気流によって、エアカーテン効果で、その下降流が遮蔽される結果、加温庫内の上部の空気は、その位置で停滞する。
【００２７】
したがって、送風ファンにより送られた空気が加温庫内の上部（あるいは商品収納棚の上部および上下方向の略中間部）まで流れ込んで循環することを最小限に抑えることができる。その結果、部分加熱の範囲が適正に維持されるので、消費電力量が減少する。
【００２８】
また、庫内側背面断熱板を背面断熱板が加温庫に露出しないように重ねた結果、加温庫の背面側の断熱壁の厚さが増加し、加温庫の背面からの熱の流出が減少する結果、消費電力量が低減する。
【００２９】
また、背面断熱板の中央部が外側に凸となるように反って、背面断熱板と断熱仕切り板との間の部分で断熱性が低下しても、庫内側背面断熱板が、背面断熱板と断熱仕切り板との間の断熱性が低下した部分と、加温庫との熱が伝わる通路を遮断しているので、加温庫内から冷却庫内への熱移動を抑えることができ、それにより自動販売機の消費電力量を低減することができる。
【図面の簡単な説明】
【００３０】
【図１】本発明の実施の形態１と実施の形態２における自動販売機を加熱庫となる左庫の部分で左右に切断した場合の断面を示す概略縦断面図
【図２】本発明の実施の形態１における自動販売機の図１のＡ−Ａ線断面図
【図３】本発明の実施の形態１における自動販売機の扉を除いた本体の図１のＢ−Ｂ線断面図
【図４】本発明の実施の形態１における自動販売機の扉を除いた本体の図１のＣ−Ｃ線断面図
【図５】同実施の形態の自動販売機において背面断熱板の中央部が外側に凸となるように反った状態での扉を除いた本体の概略横断面図
【図６】本発明の実施の形態２における自動販売機の図１のＡ−Ａ線断面図
【図７】本発明の実施の形態２における自動販売機の扉を除いた本体の図１のＢ−Ｂ線断面図
【図８】本発明の実施の形態２における自動販売機の扉を除いた本体の図１のＣ−Ｃ線断面図
【図９】本発明の実施の形態３における自動販売機を加熱庫となる左庫の部分で左右に切断した場合の断面を示す概略縦断面図
【図１０】本発明の実施の形態３における自動販売機を加熱庫となる左庫の部分で左右に切断した場合の断面を示す概略縦断面図
【図１１】従来の自動販売機を左右に切断した場合の断面を示す概略縦断面図
【発明を実施するための形態】
【００３１】
第１の発明は、前面を開口した商品収納庫の内壁面を少なくとも背面断熱板、側面断熱板で断熱し、さらに断熱仕切り板により前記商品収納庫を加温庫と冷却庫とに左右に区画し、前記加温庫内と前記冷却庫内に、商品を収納する商品収納棚、前記商品収納棚の下方に加熱手段または冷却手段、前記加熱手段または前記冷却手段の前方または後方の空気を前方に送風する送風ファン、前記商品収納棚と前記背面断熱板との間における庫内底部から前記商品収納棚の下部または上下方向の略中間部の高さまで上下方向に延び庫内空気を下方に導く背面ダクトを、それぞれ設けた自動販売機であって、前記加温庫の背面に位置する前記背面断熱板の前面に、左右の端面が前記側面断熱板と前記断熱仕切り板にそれぞれ弾性的に当接して、前記側面断熱板と前記断熱仕切り板に弾性的に挟持される庫内側背
面断熱板を、前記背面断熱板が前記加温庫に露出しないように重ね、前記庫内側背面断熱板における前記背面ダクトの上端面に形成された空気吸い込み口よりも所定寸法以上上方の部分は、前記商品収納棚の背面との隙間を、前記商品収納棚の背面と前記背面ダクトとの隙間と略同等もしくは前記商品収納棚の背面と前記背面ダクトとの隙間より狭くする突出部とし、前記庫内側背面断熱板における前記突出部より下方の部分は、庫内空気を下方に導く前記背面ダクトの機能を妨げないように、前記商品収納棚の背面との隙間を、前記商品収納棚の背面と前記突出部との隙間よりも大きくしたことを特徴とする。
【００３２】
上記構成において、背面ダクトの上方で、商品収納棚の背面に近接するように前方に突出した突出部により、突出部のない従来構成のものと比較して、商品収納棚の背面側の空間（商品収納棚の背面と突出部の前面との隙間）の風路抵抗が大きくなっているため、加温庫内の上部の空気が、商品収納棚の背面と突出部の前面との隙間を通って、背面ダクトの上端面の空気吸い込み口に流れ込むことが困難になる結果、加温庫内の上部の空気はその位置で停滞する。
【００３３】
また、加温庫の背面の上部より下降する空気の流れは、庫内側背面断熱板の突出部の前面に沿って単に垂直に下降するが、加温庫内における庫内側背面断熱板の突出部の下端と略同じ高さ以下の領域から背面ダクトの上端面に形成された空気吸い込み口に流れ込む空気流によって、エアカーテン効果で、その下降流が遮蔽される結果、加温庫内の上部の空気は、その位置で停滞する。
【００３４】
したがって、送風ファンにより送られた空気が加温庫内の上部（あるいは商品収納棚の上部および上下方向の略中間部）まで流れ込んで循環することを最小限に抑えることができる。その結果、部分加熱の範囲が適正に維持されるので、消費電力量が減少する。
【００３５】
また、庫内側背面断熱板を背面断熱板が加温庫に露出しないように重ねた結果、加温庫の背面側の断熱壁の厚さが増加し、加温庫の背面からの熱の流出が減少する結果、消費電力量が低減する。
【００３６】
また、背面断熱板の中央部が外側に凸となるように反って、背面断熱板と断熱仕切り板との間の部分で断熱性が低下しても、庫内側背面断熱板が、背面断熱板と断熱仕切り板との間の断熱性が低下した部分と、加温庫との熱が伝わる通路を遮断しているので、加温庫内から冷却庫内への熱移動を抑えることができ、それにより自動販売機の消費電力量を低減することができる。
【００３７】
第２の発明は、第１の発明における前記庫内側背面断熱板が、大きさの異なる２つの断熱板からなり、比較的大きい断熱板の上部前面に比較的小さい断熱板を重ねて一体化したものである。
【００３８】
第３の発明は、第１の発明における前記庫内側背面断熱板が、厚みの異なる２つの断熱板からなり、比較的薄い断熱板の上に比較的厚い断熱板を重ねた構造である。
【００３９】
以下、本発明の実施の形態について図面を用いて説明するが、この実施の形態によって本発明が限定されるものではない。
【００４０】
（実施の形態１）
図１は、本発明の実施の形態１における自動販売機を加熱庫となる左庫の部分で左右に切断した場合の断面を示す概略縦断面図である。図２は、同実施の形態の自動販売機の図１のＡ−Ａ線断面図である。図３は、同実施の形態の自動販売機の扉を除いた本体の図１のＢ−Ｂ線断面図である。図４は、同実施の形態の自動販売機の扉を除いた本体の図１の
Ｃ−Ｃ線断面図である。図５は、同実施の形態の自動販売機において背面断熱板の中央部が外側に凸となるように反った状態での扉を除いた本体の概略横断面図である。
【００４１】
図１に示すように、本発明の実施の形態１における自動販売機は、前面を開口した箱状の自動販売機の本体２１と、本体２１の機械室２２の上側に区画された空間に設けられた商品収納庫２３と、本体１の前面開口部を開閉する外扉２４と、外扉２４の内側で商品収納庫２３の前面開口部を開閉自在に設けられた断熱構造の内扉２５と、商品収納庫２３内に設置されて商品を収納する商品収納棚２６と、上下方向に長く、商品収納庫２３内の背面の上下方向の略中間部に近接した上端面に空気吸い込み口２７ａ、下端部前面に空気吹き出し口２７ｂを有する背面ダクト２７が商品収納庫２３の底面奥部に設置されている。
【００４２】
また、空気吹き出し口２７ｂの前方には、空気吹き出し口２７ｂと対向して庫内熱交換器２８が商品収納庫２３の底面に配置さている。さらに、庫内熱交換器２８の前方に庫内熱交換器２８で冷却された冷気（庫内熱交換器２８が冷媒回路の凝縮器として機能する場合には、庫内熱交換器２８で温められた暖気）を送風するための送風ファン２９と、送風ファン２９の前方に庫内を加熱するときに通電されて発熱するヒータ３０が設置されている。
【００４３】
図１から図４に示すように、本発明の実施の形態１における自動販売機の商品収納庫２３は、自動販売機の本体２１の外殻を構成する前面を開口した鋼板製の外箱２１ａと、その外箱２１ａ内を上下の空間に仕切る底面断熱板３１と、外箱２１ａ内における底面断熱板３１の上側の空間の内壁面の背面、側面、天井面をそれぞれ断熱する背面断熱板３２、左側面断熱板３３、右側面断熱板３４、天面断熱板３５によって構成される。
【００４４】
底面断熱板３１、背面断熱板３２、左側面断熱板３３、右側面断熱板３４、天面断熱板３５には、板状の硬質ウレタンフォーム、板状の真空断熱材、真空断熱材を埋設した板状の硬質ウレタンフォーム、板状の硬質ウレタンフォームと板状の真空断熱材とを重ねたものを、求められる断熱性能とコストに応じて使い分けており、必要に応じて断熱板の表面に表面保護シートを設けている。
【００４５】
さらに、商品収納庫２３は、２つの断熱仕切り板３６，３７によって、左から加温庫となる左庫３８、冷却庫となる中庫３９、冷却庫となる右庫４０に左右に区画されている。
【００４６】
底面断熱板３１は、商品収納庫２３となる底面断熱板３１の上側の空間と、機械室２２となる底面断熱板３１の下側の空間とを断熱する。
【００４７】
背面断熱板３２は、底面断熱板３１の上側の空間を形成する外箱２１ａの内壁面の背面に沿って配設され、底面断熱板３１の上側の空間を形成する外箱２１ａの内壁面の背面の略全面を１枚で覆って断熱する。
【００４８】
左側面断熱板３３は、底面断熱板３１の上側の空間を形成する外箱２１ａの内壁面の左側面に沿って、後端面が背面断熱板３２に当接するように配設され、底面断熱板３１の上側の空間を形成する外箱２１ａの内壁面の左側面を１枚で覆って断熱する。
【００４９】
右側面断熱板３４は、底面断熱板３１の上側の空間を形成する外箱２１ａの内壁面の右側面に沿って、後端面が背面断熱板３２に当接するように配設され、底面断熱板３１の上側の空間を形成する外箱２１ａの内壁面の右側面を１枚で覆って断熱する。
【００５０】
天面断熱板３５は、底面断熱板３１の上側の空間を形成する外箱２１ａの内壁面の天井面に沿って後端部の下面が背面断熱板３２の上端面に当接するように配設され、底面断熱
板３１の上側の空間を形成する外箱２１ａの内壁面の天井面の全面を１枚で覆って断熱する。
【００５１】
断熱仕切り板３６は、加温庫となる左庫３８と、冷却庫となる中庫３９とを仕切る断熱板であり、底面断熱板３１と当接する下端面と背面断熱板３２と当接する後端面と天面断熱板３５と当接する上端面にポリエチレンフォームからなるクッション材４１を備えている。
【００５２】
断熱仕切り板３７は、冷却庫となる中庫３９と、冷却庫となる右庫４０とを仕切る断熱板であり、底面断熱板３１と当接する下端面と背面断熱板３２と当接する後端面と天面断熱板３５と当接する上端面にポリエチレンフォームからなるクッション材４１を備えている。
【００５３】
左庫３８、中庫３９、右庫４０のそれぞれの背面側には、側面に断熱仕切り板３６，３７または左側面断熱板３３または右側面断熱板３４との隙間を埋める断熱フォーム２７ｃを貼り付け、上端に空気吸い込み口２７ａ、下部前面に空気吹き出し口２７ｂが形成された背面ダクト２７が設けられる。
【００５４】
この背面ダクト２７は、商品収納棚２６と背面断熱板３２との間における庫内底部から商品収納棚２６の下部または上下方向の略中間部の高さまで上下方向に延び庫内空気を下方に導くものである。
【００５５】
本実施の形態では、加温庫となる左庫３８の背面に位置する背面断熱板３２の前面に、左右の端面が左側面断熱板３３と断熱仕切り板３６に弾性的に当接して、左側面断熱板３３と断熱仕切り板３６に弾性的に挟持される庫内側背面断熱板４２を、背面断熱板３２が左庫３８に露出しないように重ねている。なお、庫内側背面断熱板４２は背面断熱板３２と左庫３８の背面ダクト２７との間に配置されることになる。
【００５６】
庫内側背面断熱板４２における背面ダクト２７の上端面に形成された空気吸い込み口２７ａよりも所定寸法（本実施の形態では３５０ｍｍ）以上上方の部分は、商品収納棚２６の背面との隙間を、商品収納棚２６の背面と背面ダクト２７との隙間と略同等にする突出部４２ａとし、庫内側背面断熱板４２における突出部４２ａより下方の部分は、庫内空気を下方に導く背面ダクト２７の機能を妨げないように商品収納棚２６の背面との隙間を、商品収納棚２６の背面と突出部４２ａとの隙間よりも大きくした。
【００５７】
背面ダクト２７の上端面（の空気吸い込み口２７ａ）よりも３５０ｍｍ高い位置は、商品収納棚２６の背面に開口部があり、商品収納棚２６から背面ダクト２７に向けて空気が通過しやすい位置である。
【００５８】
背面ダクト２７の上端面（の空気吸い込み口２７ａ）よりも３５０ｍｍ高い位置よりも低い位置は、商品収納棚２６の背面に開口部が少ないために、突出部４２ａの下端を、背面ダクト２７の上端面（の空気吸い込み口２７ａ）よりも３５０ｍｍ高い位置よりも低くすると、商品収納棚２６から背面ダクト２７に向かう空気の風路抵抗（通風抵抗）を必要以上に大きくしてしまい、加温の商品温度のばらつきが大きくなってしまう。
【００５９】
なお、背面ダクト２７の上端面（の空気吸い込み口２７ａ）と突出部４２ａの下端との間隔は、商品収納棚２６の背面形状、商品収納棚２６と背面ダクト２７との位置関係によって変わるため、３５０ｍｍという数値に限定されるものではない。
【００６０】
本実施の形態では、庫内側背面断熱板４２に、突出部４２ａの厚みが約３０ｍｍで突出
部４２ａより下方の部分の厚みが約１５ｍｍの発泡スチロール板を用いている。
【００６１】
左庫３８の背面ダクト２７の奥行き寸法は、突出部４２ａより下方の部分の厚みが約１５ｍｍの庫内側背面断熱板４２を設けたことにより、中庫３９、右庫４０の背面ダクト２７の奥行き寸法（約３０ｍｍ）よりも、約１５ｍｍ小さくなっており、左庫３８の背面ダクト２７の奥行き寸法が小さくなって左庫３８の背面ダクト２７の風路抵抗（通風抵抗）が増加したことを考慮して、左庫３８の送風ファン２９は庫内側背面断熱板４２を設けていないものと較べて回転数（送風量）を増やしている。
【００６２】
庫内側背面断熱板４２の材料として、発泡ウレタンフォームや、真空断熱材も候補に挙がったが、発泡スチロールを採用した。その理由は、発泡スチロールの方が他の断熱材より弾力性と断熱板の生産効率に優れ、真空断熱材は高価で、コストアップとなるからである。
【００６３】
庫内側背面断熱板４２を、左側面断熱板３３と断熱仕切り板３６とで、しっかりと保持するためには、庫内側背面断熱板４２の厚みを断熱仕切り板３６の使用（設置）時のクッション材４１の厚みよりも厚くすることが望ましい。
【００６４】
以上のように構成された自動販売機について、以下その動作、作用を説明する。
【００６５】
冷却設定により、冷却庫となった中庫３９と右庫４０では、送風ファン２９の働きにより、背面ダクト２７の上端面の空気吸い込み口２７ａより庫内循環空気を吸い込む。空気吸い込み口２７ａから吸い込まれた空気は空気吹き出し口２７ｂから背面ダクト２７を出て冷媒回路の蒸発器として機能する庫内熱交換器２８によって冷やされ、内扉２５により進路を上向きに変えて、商品収納棚２６に収納されている商品を冷却する。そして、商品収納棚２６に収納されている商品を冷却した空気は、再び、背面ダクト２７の上端面の空気吸い込み口２７ａに吸い込まれる。
【００６６】
加温設定により、加温庫となった左庫３８では、送風ファン２９の働きにより、背面ダクト２７の上端面の空気吸い込み口２７ａより庫内循環空気を吸い込む。空気吸い込み口２７ａから吸い込まれた空気は空気吹き出し口２７ｂから背面ダクト２７を出て、ヒータ３０（庫内熱交換器２８が冷媒回路の凝縮器として機能する場合は、ヒータ３０と庫内熱交換器２８、または、ヒータ３０の代わりに庫内熱交換器２８）によって加熱され、内扉２５により進路を上向きに変えて、商品収納棚２６の内部に収納されている商品を加熱する。
【００６７】
ここで、左庫３８では、図１に示すように庫内側背面断熱板４２の突出部４２ａが設けられている箇所から、背面ダクト２７の上端面の空気吸い込み口２７ａに向けて空気が流入することが困難になっているので、商品収納棚２６における上部の空気が吸引され難くなって、送風ファン２９により送られた空気が商品収納棚２６の上部まで流れ込んで循環することを最小限に抑えることができる。
【００６８】
また、左庫３８庫内の上部の空気は、遅い速度で内扉２５側から上昇し、庫内の天井面側を通り背面側に向かう。そして、庫内背面（庫内側背面断熱板４２の突出部４２ａの前面）の上部より単に背面（庫内側背面断熱板４２の突出部４２ａの前面）に沿って垂直に下降するが、左庫３８庫内における庫内側背面断熱板４２の突出部４２ａの下端と略同じ高さ以下の領域から背面ダクト２７の上端面に形成された空気吸い込み口２７ａに流れ込む空気流によって、エアカーテン効果で、その下降流が遮蔽される結果、左庫３８庫内の上部の空気は、その位置で停滞することになる。したがって、部分加熱の範囲が上方に拡大されることが抑制される。
【００６９】
なお、左庫３８が冷却設定により冷却庫に成っている場合は、部分冷却の範囲が上方に拡大されることが抑制される。
【００７０】
そのため、商品収納棚２６の下部の商品を集中して加温することができて、ヒータ３０または庫内熱交換器２８を冷媒回路の凝縮器として機能させるヒートポンプシステムの稼動時間の短縮化、自動販売機の消費電力量の低減や省エネルギー化を図ることができる。
【００７１】
これに対して、中庫３９と右庫４０では、背面断熱板３２の前面に断熱板を設けておらず、背面ダクト２７の上方が空間になっているので、背面ダクト２７により商品収納棚２６の上部の空気も吸い込んで、送風ファン２９により送られた空気が商品収納棚２６の上部まで流れ込んで循環している。
【００７２】
以上説明したように、本実施の形態の自動販売機は、前面を開口した商品収納庫２３の内壁面を少なくとも背面断熱板３２、左側面断熱板３３、右側面断熱板３４で断熱し、さらに断熱仕切り板３６により商品収納庫２３を加温庫（左庫３８）と冷却庫（中庫３９）とに左右に区画し、左庫３８、中庫３９、右庫４０の各庫内に、商品を収納する商品収納棚２６、商品収納棚２６の下方に加熱手段（ヒータ３０、庫内熱交換器２８が冷媒回路の凝縮器として機能する場合の庫内熱交換器２８）または冷却手段（庫内熱交換器２８）、加熱手段または冷却手段の前方または後方の空気を前方に送風する送風ファン２９、商品収納棚２６と背面断熱板３２との間における庫内底部から商品収納棚２６の下部または上下方向の略中間部の高さまで上下方向に延び庫内空気を下方に導く背面ダクト２７を、それぞれ設けた自動販売機である。
【００７３】
そして、加温庫（左庫３８）の背面に位置する背面断熱板３２の前面に、左右の端面が左側面断熱板３３と断熱仕切り板３６にそれぞれ弾性的に当接して、左側面断熱板３３と断熱仕切り板３６に弾性的に挟持される庫内側背面断熱板４２を、背面断熱板３２が加温庫（左庫３８）に露出しないように重ねたのである。
【００７４】
さらに、庫内側背面断熱板４２における背面ダクト２７の上端面に形成された空気吸い込み口２７ａよりも所定寸法以上上方の部分は、商品収納棚２６の背面との隙間を、商品収納棚２６の背面と背面ダクト２７との隙間と略同等もしくは商品収納棚２６の背面と背面ダクト２７との隙間より狭くする突出部４２ａとし、庫内側背面断熱板４２における突出部４２ａより下方の部分は、庫内空気を下方に導く背面ダクト２７の機能を妨げないように、商品収納棚２６の背面との隙間を、商品収納棚２６の背面と突出部４２ａとの隙間よりも大きくしたのである。
【００７５】
上記構成において、背面ダクト２７の上方で、商品収納棚２６の背面に近接するように前方に突出した突出部４２ａにより、突出部４２ａのない従来構成のものと比較して、商品収納棚２６の背面側の空間（商品収納棚２６の背面と突出部４２ａの前面との隙間）の風路抵抗（通風抵抗）が大きくなっているため、加温庫（左庫３８）内の上部の空気が、商品収納棚２６の背面と突出部４２ａの前面との隙間を通って、背面ダクト２７の上端面の空気吸い込み口２７ａに流れ込むことが困難になる結果、加温庫（左庫３８）内の上部の空気はその位置で停滞する。
【００７６】
また、加温庫（左庫３８）の背面の上部より下降する空気の流れは、庫内側背面断熱板４２の突出部４２ａの前面に沿って単に垂直に下降するが、加温庫（左庫３８）内における庫内側背面断熱板４２の突出部４２ａの下端と略同じ高さ以下の領域から背面ダクト２７の上端面に形成された空気吸い込み口２７ａに流れ込む空気流によって、エアカーテン効果で、その下降流が遮蔽される結果、加温庫（左庫３８）内の上部の空気は、その位置
で停滞する。
【００７７】
したがって、送風ファン２９により送られた空気が加温庫（左庫３８）内の上部（あるいは商品収納棚２６の上部および上下方向の略中間部）まで流れ込んで循環することを最小限に抑えることができる。その結果、部分加熱の範囲が適正に維持されるので、消費電力量が減少する。
【００７８】
また、庫内側背面断熱板４２を背面断熱板３２が加温庫（左庫３８）に露出しないように重ねた結果、加温庫（左庫３８）の背面側の断熱壁の厚さが増加し、加温庫（左庫３８）の背面からの熱の流出が減少する結果、消費電力量が低減する。
【００７９】
また、図５に示すように、背面断熱板３２の中央部が外側に凸となるように反って、背面断熱板３２と断熱仕切り板３６との間の部分で断熱性が低下しても、庫内側背面断熱板４２が、背面断熱板３２と断熱仕切り板３６との間の断熱性が低下した部分と、加温庫（左庫３８）との熱が伝わる通路を遮断しているので、加温庫（左庫３８）内から冷却庫（中庫３９）内への熱移動を抑えることができ、それにより自動販売機の消費電力量を低減することができる。
【００８０】
なお、本実施の形態の自動販売機の商品収納庫２３は、２つの断熱仕切り板３６，３７によって、左から加温庫となる左庫３８、冷却庫となる中庫３９、冷却庫となる右庫４０に左右に区画されているが、１つの断熱仕切り板により加温庫と冷却庫とに左右に区画しても構わない。
【００８１】
（実施の形態２）
図１は、本発明の実施の形態２における自動販売機を加熱庫となる左庫の部分で左右に切断した場合の断面を示す概略縦断面図である。図６は、同実施の形態の自動販売機の図１のＡ−Ａ線断面図である。図７は、同実施の形態の自動販売機の扉を除いた本体の図１のＢ−Ｂ線断面図である。図８は、同実施の形態の自動販売機の扉を除いた本体の図１のＣ−Ｃ線断面図である。
【００８２】
図１に示すように、本発明の実施の形態２における自動販売機は、前面を開口した箱状の自動販売機の本体２１と、本体２１の機械室２２の上側に区画された空間に設けられた商品収納庫２３と、本体１の前面開口部を開閉する外扉２４と、外扉２４の内側で商品収納庫２３の前面開口部を開閉自在に設けられた断熱構造の内扉２５と、商品収納庫２３内に設置されて商品を収納する商品収納棚２６と、上下方向に長く、商品収納庫２３内の背面の上下方向の略中間部に近接した上端面に空気吸い込み口２７ａ、下端部前面に空気吹き出し口２７ｂを有する背面ダクト２７が商品収納庫２３の底面奥部に設置されている。
【００８３】
また、空気吹き出し口２７ｂの前方には、空気吹き出し口２７ｂと対向して庫内熱交換器２８が商品収納庫２３の底面に配置さている。さらに、庫内熱交換器２８の前方に庫内熱交換器２８で冷却された冷気（庫内熱交換器２８が冷媒回路の凝縮器として機能する場合には、庫内熱交換器２８で温められた暖気）を送風するための送風ファン２９と、送風ファン２９の前方に庫内を加熱するときに通電されて発熱するヒータ３０が設置されている。
【００８４】
図１と、図６から図８に示すように、本発明の実施の形態２における自動販売機の商品収納庫２３は、自動販売機の本体２１の外殻を構成する前面を開口した鋼板製の外箱２１ａと、その外箱２１ａ内を上下の空間に仕切る底面断熱板３１と、外箱２１ａ内における底面断熱板３１の上側の空間の内壁面の背面、側面、天井面をそれぞれ断熱する背面断熱板３２、左側面断熱板３３、右側面断熱板３４、天面断熱板３５によって構成される。
【００８５】
底面断熱板３１、背面断熱板３２、左側面断熱板３３、右側面断熱板３４、天面断熱板３５には、板状の硬質ウレタンフォーム、板状の真空断熱材、真空断熱材を埋設した板状の硬質ウレタンフォーム、板状の硬質ウレタンフォームと板状の真空断熱材とを重ねたものを、求められる断熱性能とコストに応じて使い分けており、必要に応じて断熱板の表面に表面保護シートを設けている。
【００８６】
さらに、商品収納庫２３は、２つの断熱仕切り板３６，３７によって、左から加温庫と冷却庫とに切り替え可能な左庫３８、加温庫と冷却庫とに切り替え可能な中庫３９、冷却庫となる冷却専用の右庫４０に左右に区画されている。
【００８７】
なお、中庫３９の庫内熱交換器２８は、冷媒回路の蒸発器として機能し、凝縮器としては機能しない。そのため、中庫３９は加温設定時には、庫内熱交換器２８には冷媒を流さず、ヒータ３０により、庫内を加温する加温庫となる。また、右庫４０の庫内熱交換器２８も、冷媒回路の蒸発器として機能し、凝縮器としては機能しない。そして、右庫４０にはヒータ３０を設置していない。
【００８８】
底面断熱板３１は、商品収納庫２３となる底面断熱板３１の上側の空間と、機械室２２となる底面断熱板３１の下側の空間とを断熱する。
【００８９】
背面断熱板３２は、底面断熱板３１の上側の空間を形成する外箱２１ａの内壁面の背面に沿って配設され、底面断熱板３１の上側の空間を形成する外箱２１ａの内壁面の背面の略全面を１枚で覆って断熱する。
【００９０】
左側面断熱板３３は、底面断熱板３１の上側の空間を形成する外箱２１ａの内壁面の左側面に沿って、後端面が背面断熱板３２に当接するように配設され、底面断熱板３１の上側の空間を形成する外箱２１ａの内壁面の左側面を１枚で覆って断熱する。
【００９１】
右側面断熱板３４は、底面断熱板３１の上側の空間を形成する外箱２１ａの内壁面の右側面に沿って、後端面が背面断熱板３２に当接するように配設され、底面断熱板３１の上側の空間を形成する外箱２１ａの内壁面の右側面を１枚で覆って断熱する。
【００９２】
天面断熱板３５は、底面断熱板３１の上側の空間を形成する外箱２１ａの内壁面の天井面に沿って後端部の下面が背面断熱板３２の上端面に当接するように配設され、底面断熱板３１の上側の空間を形成する外箱２１ａの内壁面の天井面の全面を１枚で覆って断熱する。
【００９３】
断熱仕切り板３６は、加温庫となる左庫３８と、冷却庫となる中庫３９とを仕切る断熱板であり、底面断熱板３１と当接する下端面と背面断熱板３２と当接する後端面と天面断熱板３５と当接する上端面にポリエチレンフォームからなるクッション材４１を備えている。
【００９４】
断熱仕切り板３７は、冷却庫となる中庫３９と、冷却庫となる右庫４０とを仕切る断熱板であり、底面断熱板３１と当接する下端面と背面断熱板３２と当接する後端面と天面断熱板３５と当接する上端面にポリエチレンフォームからなるクッション材４１を備えている。
【００９５】
左庫３８、中庫３９、右庫４０のそれぞれの背面側には、側面に断熱仕切り板３６，３７または左側面断熱板３３または右側面断熱板３４との隙間を埋める断熱フォーム２７ｃを貼り付け、上端に空気吸い込み口２７ａ、下部前面に空気吹き出し口２７ｂが形成され
た背面ダクト２７が設けられる。
【００９６】
この背面ダクト２７は、商品収納棚２６と背面断熱板３２との間における庫内底部から商品収納棚２６の下部または上下方向の略中間部の高さまで上下方向に延び庫内空気を下方に導くものである。
【００９７】
本実施の形態では、左庫３８の背面に位置する背面断熱板３２の前面に、左右の端面が左側面断熱板３３と断熱仕切り板３６に弾性的に当接して、左側面断熱板３３と断熱仕切り板３６に弾性的に挟持される庫内側背面断熱板４２を、背面断熱板３２が左庫３８に露出しないように重ねている。
【００９８】
また、中庫３９の背面に位置する背面断熱板３２の前面に、左右の端面が断熱仕切り板３６と断熱仕切り板３７とに弾性的に当接して、断熱仕切り板３６と断熱仕切り板３７とに弾性的に挟持される庫内側背面断熱板４２を、背面断熱板３２が中庫３９に露出しないように重ねている。
【００９９】
また、右庫４０の背面に位置する背面断熱板３２の前面に、左右の端面が右側面断熱板３４と断熱仕切り板３７に弾性的に当接して、右側面断熱板３４と断熱仕切り板３７に弾性的に挟持される庫内側背面断熱板４２を、背面断熱板３２が右庫４０に露出しないように重ねている。
【０１００】
なお、庫内側背面断熱板４２は背面断熱板３２と背面ダクト２７との間に配置されることになる。
【０１０１】
庫内側背面断熱板４２における背面ダクト２７の上端面に形成された空気吸い込み口２７ａよりも所定寸法（本実施の形態では３５０ｍｍ）以上上方の部分は、商品収納棚２６の背面との隙間を、商品収納棚２６の背面と背面ダクト２７との隙間と略同等にする突出部４２ａとし、庫内側背面断熱板４２における突出部４２ａより下方の部分は、庫内空気を下方に導く背面ダクト２７の機能を妨げないように商品収納棚２６の背面との隙間を、商品収納棚２６の背面と突出部４２ａとの隙間よりも大きくした。
【０１０２】
背面ダクト２７の上端面（の空気吸い込み口２７ａ）よりも３５０ｍｍ高い位置は、商品収納棚２６の背面に開口部があり、商品収納棚２６から背面ダクト２７に向けて空気が通過しやすい位置である。
【０１０３】
背面ダクト２７の上端面（の空気吸い込み口２７ａ）よりも３５０ｍｍ高い位置よりも低い位置は、商品収納棚２６の背面に開口部が少ないために、突出部４２ａの下端を、背面ダクト２７の上端面（の空気吸い込み口２７ａ）よりも３５０ｍｍ高い位置よりも低くすると、商品収納棚２６から背面ダクト２７に向かう空気の風路抵抗（通風抵抗）を必要以上に大きくしてしまい、商品温度のばらつきが大きくなってしまう。
【０１０４】
なお、背面ダクト２７の上端面（の空気吸い込み口２７ａ）と突出部４２ａの下端との間隔は、商品収納棚２６の背面形状、商品収納棚２６と背面ダクト２７との位置関係によって変わるため、３５０ｍｍという数値に限定されるものではない。
【０１０５】
本実施の形態では、庫内側背面断熱板４２に、突出部４２ａの厚みが約３０ｍｍで突出部４２ａより下方の部分の厚みが約１５ｍｍの発泡スチロール板を用いている。
【０１０６】
背面ダクト２７の奥行き寸法は、突出部４２ａより下方の部分の厚みが約１５ｍｍの庫内側背面断熱板４２を設けたことにより、約１５ｍｍ小さくなっており、背面ダクト２７
の奥行き寸法が小さくなって背面ダクト２７の風路抵抗（通風抵抗）が増加したことを考慮して、送風ファン２９は庫内側背面断熱板４２を設けていないものと較べて回転数（送風量）を増やしている。
【０１０７】
庫内側背面断熱板４２の材料として、発泡ウレタンフォームや、真空断熱材も候補に挙がったが、発泡スチロールを採用した。その理由は、発泡スチロールの方が他の断熱材より弾力性と断熱板の生産効率に優れ、真空断熱材は高価で、コストアップとなるからである。
【０１０８】
庫内側背面断熱板４２を、左側面断熱板３３、右側面断熱板３４、断熱仕切り板３６，３７で挟んで、しっかりと保持するためには、庫内側背面断熱板４２の厚みを断熱仕切り板３６の使用（設置）時のクッション材４１の厚みよりも厚くすることが望ましい。
【０１０９】
以上のように構成された自動販売機について、以下その動作、作用を説明する。
【０１１０】
冷却設定により、冷却庫となった中庫３９と右庫４０では、送風ファン２９の働きにより、背面ダクト２７の上端面の空気吸い込み口２７ａより庫内循環空気を吸い込む。空気吸い込み口２７ａから吸い込まれた空気は空気吹き出し口２７ｂから背面ダクト２７を出て冷媒回路の蒸発器として機能する庫内熱交換器２８によって冷やされ、内扉２５により進路を上向きに変えて、商品収納棚２６に収納されている商品を冷却する。そして、商品収納棚２６に収納されている商品を冷却した空気は、再び、背面ダクト２７の上端面の空気吸い込み口２７ａに吸い込まれる。
【０１１１】
加温設定により、加温庫となった左庫３８では、送風ファン２９の働きにより、背面ダクト２７の上端面の空気吸い込み口２７ａより庫内循環空気を吸い込む。空気吸い込み口２７ａから吸い込まれた空気は空気吹き出し口２７ｂから背面ダクト２７を出て、ヒータ３０（庫内熱交換器２８が冷媒回路の凝縮器として機能する場合は、ヒータ３０と庫内熱交換器２８、または、ヒータ３０の代わりに庫内熱交換器２８）によって加熱され、内扉２５により進路を上向きに変えて、商品収納棚２６の内部に収納されている商品を加熱する。
【０１１２】
ここで、左庫３８、中庫３９、右庫４０の各庫内では、図１に示すように庫内側背面断熱板４２の突出部４２ａが設けられている箇所から、背面ダクト２７の上端面の空気吸い込み口２７ａに向けて空気が流入することが困難になっているので、商品収納棚２６における上部の空気が吸引され難くなって、送風ファン２９により送られた空気が商品収納棚２６の上部まで流れ込んで循環することを最小限に抑えることができる。
【０１１３】
また、左庫３８、中庫３９、右庫４０の各庫内の上部の空気は、遅い速度で内扉２５側から上昇し、庫内の天井面側を通り背面側に向かう。そして、庫内背面（庫内側背面断熱板４２の突出部４２ａの前面）の上部より単に背面（庫内側背面断熱板４２の突出部４２ａの前面）に沿って垂直に下降するが、庫内における庫内側背面断熱板４２の突出部４２ａの下端と略同じ高さ以下の領域から背面ダクト２７の上端面に形成された空気吸い込み口２７ａに流れ込む空気流によって、エアカーテン効果で、その下降流が遮蔽され、その結果、庫内の上部の空気は、その位置で停滞することになる。したがって、部分加熱または部分冷却の範囲が上方に拡大されることが抑制される。
【０１１４】
なお、左庫３８が冷却設定により冷却庫に成っている場合は、部分冷却の範囲が上方に拡大されることが抑制される。
【０１１５】
そのため、商品収納棚２６の下部の商品を集中して加温または冷却することができて、
ヒータ３０またはヒートポンプシステム（冷凍サイクル）の稼動時間の短縮化、自動販売機の消費電力量の低減や省エネルギー化を図ることができる。
【０１１６】
以上説明したように、本実施の形態の自動販売機は、前面を開口した商品収納庫２３の内壁面を少なくとも背面断熱板３２、左側面断熱板３３、右側面断熱板３４で断熱し、さらに断熱仕切り板３６，３７により商品収納庫２３を加温庫（左庫３８）と冷却庫（中庫３９、右庫４０）とに左右に区画し、左庫３８、中庫３９、右庫４０の各庫内に、商品を収納する商品収納棚２６、商品収納棚２６の下方に加熱手段（ヒータ３０、庫内熱交換器２８が冷媒回路の凝縮器として機能する場合の庫内熱交換器２８）または冷却手段（庫内熱交換器２８）、加熱手段または冷却手段の前方または後方の空気を前方に送風する送風ファン２９、商品収納棚２６と背面断熱板３２との間における庫内底部から商品収納棚２６の下部または上下方向の略中間部の高さまで上下方向に延び庫内空気を下方に導く背面ダクト２７を、それぞれ設けた自動販売機である。
【０１１７】
そして、左庫３８、中庫３９、右庫４０の背面に位置する背面断熱板３２の前面に、左右の端面が、左側面断熱板３３と断熱仕切り板３６、または断熱仕切り板３６と断熱仕切り板３７、または右側面断熱板３４と断熱仕切り板３７にそれぞれ弾性的に当接して、左側面断熱板３３と断熱仕切り板３６、または断熱仕切り板３６と断熱仕切り板３７、または右側面断熱板３４と断熱仕切り板３７に弾性的に挟持される庫内側背面断熱板４２を、背面断熱板３２が庫内に露出しないように重ねたのである。
【０１１８】
さらに、庫内側背面断熱板４２における背面ダクト２７の上端面に形成された空気吸い込み口２７ａよりも所定寸法以上上方の部分は、商品収納棚２６の背面との隙間を、商品収納棚２６の背面と背面ダクト２７との隙間と略同等もしくは商品収納棚２６の背面と背面ダクト２７との隙間より狭くする突出部４２ａとし、庫内側背面断熱板４２における突出部４２ａより下方の部分は、庫内空気を下方に導く背面ダクト２７の機能を妨げないように、商品収納棚２６の背面との隙間を、商品収納棚２６の背面と突出部４２ａとの隙間よりも大きくしたのである。
【０１１９】
上記構成において、背面ダクト２７の上方で、商品収納棚２６の背面に近接するように前方に突出した突出部４２ａにより、突出部４２ａのない従来構成のものと比較して、商品収納棚２６の背面側の空間（商品収納棚２６の背面と突出部４２ａの前面との隙間）の風路抵抗（通風抵抗）が大きくなっているため、庫内の上部の空気が、商品収納棚２６の背面と突出部４２ａの前面との隙間を通って、背面ダクト２７の上端面の空気吸い込み口２７ａに流れ込むことが困難になる結果、庫内の上部の空気はその位置で停滞する。
【０１２０】
また、庫内の背面の上部より下降する空気の流れは、庫内側背面断熱板４２の突出部４２ａの前面に沿って単に垂直に下降するが、庫内における庫内側背面断熱板４２の突出部４２ａの下端と略同じ高さ以下の領域から背面ダクト２７の上端面に形成された空気吸い込み口２７ａに流れ込む空気流によって、エアカーテン効果で、その下降流が遮蔽される結果、庫内の上部の空気は、その位置で停滞する。
【０１２１】
したがって、送風ファン２９により送られた空気が庫内の上部（あるいは商品収納棚２６の上部および上下方向の略中間部）まで流れ込んで循環することを最小限に抑えることができる。その結果、部分加熱または部分冷却の範囲が適正に維持されるので、消費電力量が減少する。
【０１２２】
また、庫内側背面断熱板４２を背面断熱板３２が庫内に露出しないように重ねた結果、庫内の背面側の断熱壁の厚さが増加し、庫内の背面からの熱の流出が減少する結果、消費電力量が低減する。
【０１２３】
また、背面断熱板３２の中央部が外側に凸となるように反って、背面断熱板３２と断熱仕切り板３６との間の部分で断熱性が低下しても、庫内側背面断熱板４２が、背面断熱板３２と断熱仕切り板３６，３７との間の断熱性が低下した部分を経由する、加温庫（左庫３８）から冷却庫（中庫３９）への熱が伝わる通路を遮断しているので、加温庫（左庫３８）内から冷却庫（中庫３９）内への熱移動を抑えることができ、それにより自動販売機の消費電力量を低減することができる。
【０１２４】
なお、本実施の形態の自動販売機の商品収納庫２３は、２つの断熱仕切り板３６，３７によって、左から加温庫となる左庫３８、冷却庫となる中庫３９、冷却庫となる右庫４０に左右に区画されているが、１つの断熱仕切り板により加温庫と冷却庫とに左右に区画しても構わない。
【０１２５】
（実施の形態３）
図９は、本発明の実施の形態３における自動販売機を加熱庫となる左庫の部分で左右に切断した場合の断面を示す概略縦断面図である。
【０１２６】
本実施の形態は、庫内側背面断熱板４２が、大きさの異なる２つの厚みが約１５ｍｍの発泡スチロール板からなり、比較的大きい発泡スチロール板の上部前面に、突出部４２ａとなる比較的小さい発泡スチロール板を重ねて接着剤で一体化したものである。その他の構成は、実施の形態１または実施の形態２と同様の構成であるので、共通する部分の説明は省略する。
【０１２７】
本実施の形態では、比較的大きい発泡スチロール板の上部前面に比較的小さい発泡スチロール板を重ねて接着剤で一体化することにより、突出部４２ａを有する庫内側背面断熱板４２を容易に得ることができる。
【０１２８】
（実施の形態４）
図１０は、本発明の実施の形態４における自動販売機を加熱庫となる左庫の部分で左右に切断した場合の断面を示す概略縦断面図である。
【０１２９】
本実施の形態は、庫内側背面断熱板４２が、約３０ｍｍの発泡スチロール板と約１５ｍｍの発泡スチロール板からなり、約１５ｍｍの発泡スチロール板の上端面に突出部となる約３０ｍｍの発泡スチロール板の下端面を重ねた構造である。その他の構成は、実施の形態１または実施の形態２と同様の構成であるので、共通する部分の説明は省略する。
【０１３０】
本実施の形態では、厚みの異なる２種類の発泡スチロール板を用意する必要があるが、約１５ｍｍの発泡スチロール板と約３０ｍｍの発泡スチロール板とを接着剤で接着しなくても、約１５ｍｍの発泡スチロール板の上端面に突出部となる約３０ｍｍの発泡スチロール板の下端面を重ねた構造を維持することができる。
【産業上の利用可能性】
【０１３１】
以上のように、本発明は、部分加熱または部分冷却の範囲が適正に維持され、背面側の断熱壁が厚くなり、加温庫内から冷却庫内への熱移動を抑えて、自動販売機の消費電力量を低減することができるので、加温販売する商品と冷却販売する商品とを隣接した庫内に収納して販売する飲料自動販売機に最適である。
【符号の説明】
【０１３２】
２３  商品収納庫
２６  商品収納棚
２７  背面ダクト
２７ａ  空気吸い込み口
２８  庫内熱交換器
２９  送風ファン
３０  ヒータ
３２  背面断熱板
３３  左側面断熱板
３４  右側面断熱板
３６，３７  断熱仕切り板
３８  左庫（加温庫）
３９  中庫（冷却庫）
４０  右庫（冷却庫）
４２  庫内側背面断熱板
４２ａ  突出部
【図１】
2015102927.tif 000003
【図２】
2015102927.tif 000004
【図３】
2015102927.tif 000005
【図４】
2015102927.tif 000006
【図５】
2015102927.tif 000007
【図６】
2015102927.tif 000008
【図７】
2015102927.tif 000009
【図８】
2015102927.tif 000010
【図９】
2015102927.tif 000011
【図１０】
2015102927.tif 000012
【図１１】
2015102927.tif 000013